(57)【特許請求の範囲】
【請求項１】
カード挿入口からメモリカードが挿入されるコネクタ本体と、前記コネクタ本体に挿入されたメモリカードを検出するカード検出部とを備えるメモリカードコネクタにおいて、
前記カード検出部は、
第１端子と、
前記第１端子を前記メモリカードの厚み方向で押圧して当該第１端子と接触した状態で配置され、前記カードの挿入領域に突出する一部が、挿入される前記メモリカードにより押圧されて前記挿入領域から後退することにより弾性変形して前記第１端子から前記厚み方向に離間する第２端子とを有し、
前記コネクタ本体は、少なくとも底板部と当該底板部から立設する側壁部とを有する樹脂製のハウジングを備え、
前記第１端子及び前記第２端子は、前記ハウジングの側壁部に、インサート成形によって前記第２端子を前記第１端子に押圧させて接触させた状態で離間自在に形成され、
前記第２端子が前記第１端子から離間することにより、前記コネクタ本体への前記メモリカードの挿入を検出することを特徴とするメモリカードコネクタ。
【請求項２】
前記第１端子は、前記コネクタ本体に前記第２端子との接触面を露出させた状態で固定され、
前記第２端子は、前記一部が前記メモリカードに押圧されることによって、前記接触面に対し、前記厚み方向に弾性変形して接離する請求項１記載のメモリカードコネクタ。
【請求項３】
前記第１端子及び第２端子は、それぞれ長尺帯状をなし、前記コネクタ本体内に、それぞれ挿入方向に沿って上下に配置され、
前記第１端子は、前記第２端子に前記メモリカードの厚み方向で押圧された状態で接触して配置され、
前記第２端子は、前記コネクタ本体内に挿入される前記メモリカードにより前記第１端子から離間する方向に押圧されることを特徴とする請求項１または２記載のメモリカードコネクタ。
【請求項４】
前記第１端子は、前記コネクタ本体において前記メモリカードの挿入を案内する側壁部の一方側において、挿入される前記メモリカードの側面と対向する位置に配置され、
前記第２端子の前記一部は、前記側壁部の一方側において、前記第１端子の下方で、前記コネクタ本体における底面部分から上方の前記メモリカード挿入領域に挿入方向側の端部を突出させた状態で配置されているとともに、前記挿入方向側の端部に、前記第１端子側に突出して前記第１端子を下方から押圧する突出片である請求項３記載のメモリカードコネクタ。
【請求項５】
前記突出片は、前記第２端子において前記挿入方向側の端部である先端部側を上方に屈曲して形成された折曲部から前記第１端子側に突設されている請求項４記載のメモリカードコネクタ。
【請求項６】
メモリカードコネクタのハウジングを形成する下金型内に、可撓性を有し、先端側に向かって上方に傾斜する長尺の２つの端子を上下に離間して配置するステップと、
上金型により、前記２つの端子のうち上方に位置する端子の先端部分を下方に押圧して撓ませることにより、前記上側の端子を前記下側に位置する端子に接触させて、下側に位置する端子を撓ませて与圧をかけるステップと、
前記上金型により前記２つの端子に与圧をかけた状態で下金型に樹脂を注入し、前記メモリカード検出部をインサート成形するステップと
を有するメモリカードコネクタの製造方法。
【発明の詳細な説明】
【技術分野】
【０００１】
本発明は、メモリカードを挿入して基板に実装され、挿入されたメモリカードと基板とを電気的に接続されるメモリカードコネクタ及びメモリカードコネクタの製造方法に関する。
【背景技術】
【０００２】
従来からデジタルカメラなどのデータの記憶媒体として、メモリカードが広く用いられており、種々の種類や規格の小型のメモリカードが市販されている。最近では、携帯電話用のデータの記憶媒体としてもメモリカードが用いられており、非常に小型のメモリカードも市販されている。
【０００３】
これらのメモリカードを記憶媒体とするデジタルカメラや携帯電話などの電子機器には、メモリカード用のコネクタ（メモリカードコネクタ）が装着され、メモリカードは、メモリカードコネクタに挿入することで電子機器に装着される。
【０００４】
このようなメモリカードコネクタには、例えば、特許文献１又は特許文献２に示すように、コネクタ本体に挿入されたメモリカードを電気的に検出するためのカード検出スイッチが設けられている。
【０００５】
図１８は、従来のメモリカードコネクタにおけるメモリカード挿入を検出するカード検出スイッチの構成を示す図である。
【０００６】
図１８に示す従来のメモリカードコネクタでは、カード検出スイッチ１は、コネクタ本体３において、装着されるメモリカード２の挿入方向に沿って延在する一方の案内側壁４側に設けられている。
【０００７】
カード検出スイッチ１は、コネクタ本体の案内側壁４に沿って配置された固定板５、固定板５に対して幅方向に並べて離間して配置された可動板６とから構成されている。
【０００８】
可動板６は、固定板５に対してコネクタ本体３の幅方向で対向し、案内側壁４側からコネクタ本体に挿入されるメモリカードの挿入経路内に突出する折曲部７を有する。
【０００９】
メモリカード２が装着位置に在るときは、メモリカード２の側面に押されて、可動板６における折曲部７の基端及び基端が固定板５に当接し、可動板６と固定板５は電気的に接続状態となる。
【００１０】
このように従来のメモリカードコネクタでは、挿入方向に沿う一方の案内側壁４側において、初期状態では、固定板５及び可動板６はオープンの状態であり、メモリカードが挿入されることにより、可動板６が側方に撓むことで可動して固定板５に接触して、メモリカードの挿入を検出している。
【００１１】
また、メモリカード２をコネクタ本体３から抜去すると、可動板６の折曲部７は復帰して可動板６と固定板５は電気的に遮断状態となる。なお、これら可動板６と固定板５の終端は、コネクタ本体３が実装される図示しないプリント基板のカード検出回路に接続されている。
【特許文献１】特開２００３−２２８７０号公報
【特許文献２】特開２００５−７１６６６号公報
【発明の開示】
【発明が解決しようとする課題】
【００１２】
ところで、近年、小型化が図れているメモリカードが搭載される電子機器も小型化が図られており、当該電子機器にメモリカードを搭載するためのメモリカードコネクタ自体の小型化、実装スペースの省スペース化が望まれている。
【００１３】
しかしながら、従来のメモリカードコネクタでは、メモリカードの挿入により可動板６を、挿入されるメモリカード２の側方、つまり、当該メモリカード２から離間する方向の固定板５側に撓ませることで可動させて、固定板５に接触させるため、固定板５も挿入されるメモリカードから離間する方向に撓む。
【００１４】
このため、コネクタ本体において、挿入されるメモリカードの側方で、可動板６の可動及び固定板５の撓みのための幅方向のスペース確保する必要があり、コネクタ自体の外形を大きくしてしまい、コネクタの小型化が困難であるという問題がある。
【００１５】
本発明はかかる点に鑑みてなされたものであり、挿入されるメモリカードの小型化に伴い小型化及び実装スペースの省スペース化を図ることができるメモリカードコネクタを提供することを目的とする。
【課題を解決するための手段】
【００１６】
本発明のメモリカードコネクタは、カード挿入口からメモリカードが挿入されるコネクタ本体と、前記コネクタ本体に挿入されたメモリカードを検出するカード検出部とを備えるメモリカードコネクタにおいて、前記カード検出部は、第１端子と、前記第１端子を前記メモリカードの厚み方向で押圧して当該第１端子と接触した状態で配置され、前記カードの挿入領域に突出する一部が、挿入される前記メモリカードにより押圧されて前記挿入領域から後退することにより弾性変形して前記第１端子から前記厚み方向に離間する第２端子とを有し、前記コネクタ本体は、少なくとも底板部と当該底板部から立設する側壁部とを有する樹脂製のハウジングを備え、前記第１端子及び前記第２端子は、前記ハウジングの側壁部に、インサート成形によって前記第２端子を前記第１端子に押圧させて接触させた状態で離間自在に形成され、前記第２端子が前記第１端子から離間することにより、前記コネクタ本体への前記メモリカードの挿入を検出する構成を採る。
【００１７】
本発明のメモリカードコネクタの製造方法は、メモリカードコネクタのハウジングを形成する下金型内に、可撓性を有し、先端側に向かって上方に傾斜する長尺の２つの端子を上下に離間して配置するステップと、上金型により、前記２つの端子のうち上方に位置する端子の先端部分を下方に押圧して撓ませることにより、前記上側の端子を前記下側に位置する端子に接触させて、下側に位置する端子を撓ませて予圧をかけるステップと、前記上金型により前記２つの端子に予圧をかけた状態で下金型に樹脂を注入し、前記メモリカード挿入検出部をインサート成形するステップとを有するようにした。
【発明の効果】
【００１８】
本発明によれば、メモリカードコネクタにおいて、挿入されるメモリカードの小型化に伴い小型化及び実装スペースの省スペース化を図ることができる。
【発明を実施するための最良の形態】
【００１９】
以下、本発明の実施の形態について、図面を参照して詳細に説明する。
【００２０】
（実施の形態１）
図１は、本発明の実施の形態１に係るメモリカードコネクタの構成を示す部分断面図である。なお、本実施の形態において前，後、左，右とは、上記メモリカードコネクタにおいて、挿入されるカード挿入口を正面として、前、後、左、右を意味する。
【００２１】
図１に示すメモリカードコネクタ１００は、一側面部分にメモリカードが挿入されるカード挿入口１０１を備えた矩形板状をなす。メモリカードコネクタ１００では、底板部１１２、両側壁部１１４、１１５及び基端側壁部１１６を備えるハウジング１１０に、上面となるシールドケース１２０を上方から被せることによって、カード挿入口１０１から挿入されたメモリカードを収容して装着状態にする内部収容領域を備えたコネクタ本体が形成されている。
【００２２】
このメモリカードコネクタ（以下、単に「コネクタ」ともいう）１００は、挿入されるメモリカードの形状に対応して形成されている。ここでは、図示しないが、ハウジング１１０の底板部１１２の後端側に幅方向に並べて複数のコンタクトピンが、メモリカードの下面先端部に幅方向に複数並べて配設されたパットに対応して配置されている。
【００２３】
なお、これら複数のコンタクトピンは、それぞれ可撓性を有し、底板部１１２から上方に突出し、上下動する接点部（図示省略）を有する。
【００２４】
これら接点部が、カード挿入口１０１から挿入されるメモリカードのパットに押圧されることで、接点部とパットとは対応する組同士で接触して、それぞれ電気的に接続される。
【００２５】
ハウジング１１０は、絶縁性を有する樹脂製であり、肉薄の底板部１１２及び両側壁部１１４、１１５とで正面視略コ字状をなしている。
【００２６】
なお、ハウジング１１０に取り付けられるコンタクトピンは、ハウジング１１０を成形する際に、インサート成形によってハウジングに組み付けられた状態で取り付けられる。
【００２７】
ハウジング１１０の両側壁部１１４、１１５は、カード挿入口１０１を介してコネクタ１００内に挿入されるメモリカードを基端側壁部１１６側に案内する。
【００２８】
ハウジング１１０の両側壁部１１４、１１５のうち、一方の側壁部１１４側、ここでは、右側の側壁部１１４側には、コネクタ１００に挿入されるメモリカードの挿入を電気的に検出するカード検出部（カード検出スイッチ）１５０が配設されている。なお、カード検出部１５０は、カードの装着を電気的に検出してもよい。
【００２９】
なお、ハウジング１１０における両側壁部のうち他方の側壁部側には、図示しないが、カードの挿抜によりハウジング底面上をメモリカードの挿抜方向に沿って前後に移動するスライダと、スライダをメモリカード挿入口側に向けて付勢するコイルスプリングとを含むイジェクト機構が配設されている。なお、イジェクト機構は、メモリカードを、コネクタ１００に完全に挿入された挿入完了位置と、その手前の挿入位置で軽く保持するためのハーフロック位置との２箇所の位置で保持できる周知の技術であるため説明は省略する。
【００３０】
図２は、本発明の実施の形態１に係るメモリカードコネクタ１００のカード検出部の構成を示す図である。なお、図２において、メモリカードコネクタ１００に挿入されるメモリカードを符号２００で示し、当該メモリカード２００の下面の先端部を模式的に先端部２０１として示す。なお、本実施の形態のメモリカード２００の側縁部下部には、長手方向に沿って下方及び側方に開口する溝が形成されている。このため、図示するメモリカード２００の下面の先端部２０１は、溝の底面における先端部２０１となる。
【００３１】
カード検出部１５０は、側壁部１１４側で、メモリカードの挿入方向Ａに沿って上下配置された長尺帯状の第１端子１６０及び第２端子１７０を有する。
【００３２】
これら第１端子１６０及び第２端子１７０は、可撓性を有し、弾性変形する導電性部材からなり、ここでは帯状の金属板により形成されている。
【００３３】
第１端子１６０は、側壁部１１４において、挿入されたメモリカードの側面と対向する面部分に、一端部側（コネクタ本体の後端部側）の部位１６１の下面が下方に露出した状態で固定されている。
【００３４】
側壁部１１４において、第１端子１６０における一端部側の部位１６１の上部分には切欠１１４ａが形成され、当該一端部側の部位１６１の上部分の上面は、露出した状態となっている。
【００３５】
この切欠１１４ａは、第２端子１７０の下方からの押圧により生じる第１端子１６０の上方への撓みを上方に解放して、接触部分での接触状態をより確実なものとしている。
【００３６】
この第１端子１６０は、側壁部１１４に、先端部（コネクタ本体の後端部）側と、他端部（コネクタ本体の前端部）側とでそれぞれ所定の高さ位置で、ここでは水平に、固定されている。
【００３７】
この第１端子１６０に対して、第２端子１７０は、ハウジング１１０の側壁部１１４に、第１端子１６０の下方で、且つ、第１端子１６０よりもコネクタ１００の内方に配置されている。
【００３８】
第２端子１７０では、本体部分の側辺部が、第１端子１６０の下方で対向して配置され、先端部側（コネクタの後端部側）で、第１端子１６０における先端部側の部位１６１の下面を上方に押圧して当該下面と接触した状態で配設されている。
【００３９】
図３は、本発明の実施の形態１に係るメモリカードコネクタ１００のカード検出部を説明するための要部側断面図である。
【００４０】
図２及び図３に示すように、第２端子１７０は、側壁部１１４において、ハウジング１１０において内部底面側から上方に突出し、挿入されるメモリカード２００の側縁部下部に形成された溝に沿って摺動するレール部１１４ｂの延長線上に配置されている。
【００４１】
具体的に、第２端子１７０は、挿入方向でレール部１１４ｂから挿入方向に沿って延出される可動部１７９を有する。この可動部１７９はコネクタ１００に挿入されるメモリカードの挿入領域内に配置されている。
【００４２】
また、第２端子１７０の可動部１７９は、レール部１１４ｂにおける挿入方向側の端面から、挿入方向に突出して配置され、ハウジング１１０内で、先端部１７２を含めて下方に可動自在となっている。
【００４３】
図２及び図３に示すように、第２端子１７０は、一端部１７２側に向かって下方に湾曲しており、その一端部１７２には、上方に突出する折曲部１７４が形成されている。
【００４４】
折曲部１７４は、第２端子１７０の本体部分１７６よりも側方（ここでは、第１端子１６０側である右側）に突出する突出片１７８を有し、この突出片１７８で第１端子１６０の部位に当接している。
【００４５】
このようにカード検出部は、図２及び図３に示すように、通常時において、第２端子１７０の突出片が第１端子１６０の一端部側の部位を押圧し、第１端子１６０及び第２端子１７０とが互いに電気的に接続されている。
【００４６】
そして、メモリカード２００が挿入されると、挿入されるメモリカード２００の側部はレール部１１４ｂ上を挿入方向に移動し、第２端子１７０において上面で露出する可動部１７９上面を移動していく。
【００４７】
これにより、第２端子１７０では、挿入されるメモリカード２００（ここではメモリカードの下面２０１で示す）によって、折曲部１７４における可動部１７９の基端側の斜面が挿入方向に押圧される。
【００４８】
すると、第２端子１７０では、折曲部１７４が下方に押圧されて、折曲部１７４の突出片１７８は第１端子１６０の一端部側の部位１６１から下方に移動する。
【００４９】
これによりカード検出部１５０では、第１端子１６０と第２端子１７０との接触状態、つまり、接続状態が解除される。
【００５０】
図４は、本発明の実施の形態１に係るメモリカードコネクタ１００のカード検出部の構成を示す図であり、第１端子１６０から第２端子１７０が離間した状態を示す図である。なお、図４では、図２と同様に、メモリカードコネクタ１００に挿入されるメモリカードを符号２００で示し、当該メモリカード２００の下面の先端部を模式的に先端部２０１として示す。
【００５１】
図４のようにメモリカードコネクタ１００のカード検出部１５０では、第１端子１６０と第２端子１７０との接続状態が解除されることによって、メモリカードコネクタ１００にメモリカード２００が挿入されたこと或いは装着されたことを電気的に検出することができる。
【００５２】
次に、本実施の形態のメモリカードコネクタ１００の製造方法を説明する。
【００５３】
図５は、本発明の実施の形態１に係るメモリカードコネクタ１００の製造方法の説明に供する図である。
【００５４】
本実施の形態に係るメモリカードコネクタ１００では、カード検出部及び、挿入されるメモリカードのパットに接続される複数の端子を備えるハウジングは、インサート成形により成形されるものである。
【００５５】
具体的には、先ず、図５（ａ）に示すように、ハウジングを成形する下金型２１０内に、複数のコンタクトピンとともに、カード検出部１５０の第１端子１６０及び第２端子１７０をインサート品として装填する。ここでは、第１端子１６０及び第２端子１７０は、複数のコンタクトピンととともに金属板を加工することにより形成されたものとする。なお、各部同士は、成形後必要に応じて絶縁されるものである。
【００５６】
インサート品としての第１端子１６０及び第２端子１７０は、それぞれ、基端部側でハウジングの底板となる部位から立ち上がり、先端部１６４、１７２に向かって上方に傾斜するように形成されている。
【００５７】
具体的には、第１端子１６０では、下金型２１０内に配置された底面となる部位から所定高さで立ち上がる立ち上がり部１６０ａと、当該立ち上がり部１６０ａからコネクタ１００の基端部側に、水平に延出された水平部１６０ｂと、水平部１６０ｂの端部から垂直に立ち上がる第２立ち上がり部１６０ｄにより基端部分１６６が形成されている。また、第２立ち上がり部１６０ｄの先端から、配設されるコネクタ内において外部に露出する部位である第１端子１６０の本体及び先端部となる傾斜片１６０ｃが上方に傾斜して延出されている。
【００５８】
また、第２端子１７０では、第１端子１６０の水平部１６０ｂの先端部下方から立ち上がる立ち上がり部１７０ａと当該立ち上がり部１７０ａから先端方向に向かって水平に延出する水平片１７０ｂとで基端部が形成されている。また、水平片１７０ｂのコネクタ１００の後端部側の端部から上方に湾曲して湾曲片１７０ｃが形成されている。また、この湾曲片１７０ｃは、先端側に向かって上方に傾斜しており、その先端部に、上方に突出する折曲部１７４が形成されている。
【００５９】
このようなインサート品を装填した後、図５（ｂ）に示すように、下金型２１０内に配設される上金型部品２２０により、第１端子１６０の先端部１６４を鉛直上方から下方に押圧するように成形金型の型閉めを行う。
【００６０】
そして、図５（ｃ）に示すように、上金型部品２２０で第１端子１６０を押圧していき、第１端子１６０を撓ませて、第２端子１７０と接触させる。
【００６１】
さらに上金型部品２２０を第１端子１６０に上方から押圧して、図５（ｄ）に示すように型閉め状態とする。このとき、上金型部品２２０により上方から押圧される第１端子１６０は弾性変形して撓み、第２端子１７０を下方に押圧して当該第２端子１７０を下方に撓ませて予圧をかけた状態となる。
【００６２】
このようにメモリカードコネクタ１００では、カード挿入検出部１５０において、互いに離間する方向に付勢された第１端子１６０及び第２端子１７０に予圧をかけることで、両端子１６０、１７０を接触させた状態とした後で、樹脂を注入してインサート品を溶融樹脂で包んで固化させ、一体化した複合部品を製造する。
【００６３】
カード挿入検出部１５０において、溶融樹脂により包まれて固化される部位は、予圧がかけられた状態の第１端子１６０の立ち上がり部１６０ａ、水平部１６０ｂ及び第２立ち上がり部１６０ｄとを有する基端部分１６６と、予圧がかけられた状態の傾斜片１６４において、第２立ち上がり部１６０ｄから連続する基端部分と、第２端子１７０との接触部位１６１より先端側の部分とする。
【００６４】
また、第２端子１７０において、溶融樹脂により包まれて固化される部位は、予圧が掛けられた状態の立ち上がり部１７０ａ及び水平片１７０ｂの一部からなる基端部分である。
【００６５】
このように本実施の形態のコネクタ１００では、カード検出部は、上下に配置された第１及び第２端子１７０を含むインサート成型品に対して、インサート金型によって予圧をかけられる第１端子１６０を撓ませて、予圧をかける第２端子１７０を接触させることによって予圧をかけている。
【００６６】
すなわち、本実施の形態では、カード挿入口１０１からメモリカードが挿入されるコネクタ本体と、コネクタ本体に挿入されたメモリカードを検出するカード検出スイッチ１５０とを備えるメモリカードコネクタ１００において、カード検出スイッチ１５０は、コネクタ本体に固定された第１端子１６０と、第１端子１６０を、メモリカードの厚み方向で押圧して当該第１端子１６０と接触した状態で配置され、メモリカードの挿入によって、第１端子１６０から厚み方向に弾性変形して離間する第２端子１７０とを有している。
【００６７】
カード検出部１５０では、第２端子１７０が第１端子１６０から離間することにより、コネクタへのメモリカードの挿入を検出するようにした。また、コネクタ本体は、少なくとも底板部と当該底板部から立設する側壁部１１４、１１５とを有する樹脂製のハウジング１１０を備え、第１端子１６０及び第２端子１７０は、ハウジング１１０の側壁部１１４に、インサート成形によって第２端子１７０を第１端子１６０に押圧させて接触させた状態で離間自在に形成されている。
【００６８】
さらに、第１端子１６０及び第２端子１７０は、それぞれ長尺帯状をなし、コネクタ本体内に、それぞれ挿入方向に沿って上下に配置され、第１端子１６０は、第２端子１７０にメモリカードの厚み方向で押圧された状態で接触して配置され、第２端子１７０は、コネクタ本体内に挿入されるメモリカードにより第１端子１６０から離間する方向に押圧される。
【００６９】
また、第１端子１６０は、コネクタ本体においてメモリカードの挿入を案内する側壁部１１４の一方側において、挿入されるメモリカードの側面と対向する位置に配置され、第２端子１７０は、側壁部１１４の一方側において、第１端子１６０の下方で、コネクタ本体における底面部分から上方のメモリカード挿入領域に挿入方向側の端部を突出させた状態で配置されているとともに、挿入方向側の端部に、第１端子１６０側に突出して第１端子１６０を下方から押圧する突出片１７６が設けられている。この突出片１７８は、第２端子１７０において先端部側を上方に屈曲して形成された折曲部１７４から第１端子１６０側に突設されている。
【００７０】
このようなメモリカードコネクタ１００によれば、メモリカードを挿入することで第２端子１７０が第１端子１６０の下方に移動することで当該第１端子１６０から離間して、両端子の接触状態が解除、つまり、両端がオープンな状態となり、コネクタが実装される図示しないプリント基板のカード検出回路に、コネクタ１００に対するメモリカードの挿入又は装着を検出させることができる。
【００７１】
このコネクタ１００では、メモリカードの挿入を電気的に検出するために、第１端子１６０に対して弾性変形して可動、つまり、撓むことで離間する第２端子１７０の可動領域（撓む領域）を挿入されるメモリカードの厚み方向で、メモリカードの厚み範囲で形成している。
【００７２】
よって、従来と異なり、メモリカードコネクタ１００の幅方向に端子の可動領域を形成することがなく、省スペース化を図ることができる。
【００７３】
また、本実施の形態では、メモリカードコネクタ１００のハウジングを形成する下金型内に、可撓性を有し、先端側に向かって上方に傾斜する長尺の２つの端子を上下に離間して配置するステップと、上金型により、前記２つの端子のうち上方に位置する端子の先端部分を下方に押圧して撓ませることにより、前記上側の端子を前記下側に位置する端子に接触させて、下側に位置する端子を撓ませて予圧をかけるステップと、前記上金型により前記２つの端子に予圧をかけた状態で下金型に樹脂を注入し、前記メモリカード挿入検出部をインサート成形するステップとを有するようにしている。
【００７４】
これにより、実装スペースの省スペース化が図れたメモリカードコネクタ１００を、インサート成形によって肉薄コネクタ１００として容易に製造することができ、さらに実装スペースを小さくすることができる。
【００７５】
また、予圧がかけられた状態で互いに接触している第１端子１６０及び第２端子１７０は、コネクタ１００の幅方向で離間するようにしたため、成型時の樹脂が動作を阻害しないように金型によって端子の周辺を保護するために、手組にてコネクタ１００を製作する必要がない。
【００７６】
また、本実施の形態では、カード検出部１５０をコネクタ１００の側壁部分となるハウジングの側壁部１１４に設けた構成としたが、これに限らず、側壁部１１５に設けても良い。この場合、側壁部１１５に設けたエジェクト機構を、側壁部１１４に設け、メモリカードもこれに対応する形態に変更するものとする。また、カード検出部１５０を基端側側壁部１１６に設けて、コネクタ１００に対して最深まで挿入されたメモリカードの先端によって第２端子１７０を第１端子１６０から離間させてメモリカードの挿入を検出するようにしてもよい。
【００７７】
このように、カード挿入検出部１５０は、コネクタ本体に固定された第１端子１６０に対して、第１端子１６０を押圧して接触して配置された可動端子である第２端子１７０が、コネクタ本体に挿入されるメモリカードにより、メモリカードの厚み方向に弾性変形して、第１端子１６０から離間して、コネクタ本体へのメモリカードの挿入が検出される。これにより、第１端子１６０と第２端子１７０とが接触する際の可動領域を、コネクタ本体の幅方向に確保する必要が無く、その分、コネクタ本体の幅が小さくなる。また、インサート成形により製造されるため、手組より端子を組み込む必要がなく、薄肉厚のメモリカードコネクタとすることができる。
【００７８】
（実施の形態２）
図６は、本発明の実施の形態２に係るコネクタの構成を示す図である。なお、本実施の形態２において前，後、左，右とは、第１実施の形態と同様に、コネクタ側から見て、挿入される挿入口を正面として、前、後、左、右を意味する。なお、本実施の形態２におけるコネクタは、挿入されるメモリカードと電気的に接続するカードコネクタとして説明するが、これに限らず、ＵＳＢ（Universal Serial Bus）プラグが接続されるＵＳＢコネクタとしても良い。
【００７９】
図６に示すコネクタ３００は、一側面部分にメモリカードが挿入されるカード挿入口３０１を備えた矩形板状をなす。このコネクタ３００は、コネクタ１００と同様の外観形状となっており、同様の機能を有する。すなわち、コネクタ３００では、底板部３１２、両側壁部３１４、３１５及び基端側壁部３１６を備えるハウジング３１０に、上面となるシールドケース３２０を上方から被せることによって、カード挿入口３０１から挿入されたメモリカードを収容して装着状態にする内部収容領域を備えたコネクタ本体が形成されている。
【００８０】
このコネクタ３００は、挿入されるメモリカードの形状に対応して形成されている。ここでは、図示しないが、ハウジング３１０の底板部３１２の後端側に幅方向に並べて複数のコンタクトピンが、メモリカードの下面先端部に幅方向に複数並べて配設されたパットに対応して配置されている。
【００８１】
なお、これら複数のコンタクトピンは、それぞれ可撓性を有し、底板部３１２から上方に突出し、上下動する接点部（図示省略）を有する。
【００８２】
これら接点部が、カード挿入口３０１から挿入されるメモリカードのパットに押圧されることで、接点部とパットとは対応する組同士で接触して、それぞれ電気的に接続される。
【００８３】
ハウジング３１０は、絶縁性を有する樹脂製であり、ハウジング１１０と略同様に形成されており、肉薄の底板部３１２及び両側壁部３１４、３１５で正面視略コ字状をなしている。
【００８４】
なお、ハウジング３１０に取り付けられるコンタクトピンは、ハウジング３１０を成形する際に、インサート成形によってハウジングに組み付けられた状態で取り付けられる。
【００８５】
ハウジング３１０の両側壁部３１４、３１５は、カード挿入口３０１を介してコネクタ３００内に挿入されるメモリカードを基端側壁部３１６側に案内する。
【００８６】
ハウジング３１０の両側壁部３１４、３１５のうち、一方の側壁部３１４側、ここでは、右側の側壁部３１４側には、コネクタ１００と同様に、コネクタ３００に挿入される接続対象物（ここではメモリカード）の挿入を電気的に検出するカード検出部（カード検出スイッチ）３５０（図７参照）が配設されている。
【００８７】
なお、ハウジング３１０における両側壁部のうち他方の側壁部側には、図示しないが、カードの挿抜によりハウジング底面上をメモリカードの挿抜方向に沿って前後に移動するスライダと、スライダをメモリカード挿入口側に向けて付勢するコイルスプリングとを含むイジェクト機構が配設されている。なお、イジェクト機構は、メモリカードを、コネクタ１００に完全に挿入された挿入完了位置と、その手前の挿入位置で軽く保持するためのハーフロック位置との２箇所の位置で保持できる周知の技術であるため説明は省略する。
【００８８】
なお、本実施の形態２のコネクタ３００に挿入されるメモリカードは、上述のメモリカード２００と同様のものであり、カードの側縁部下部には、長手方向に沿って下方及び側方に開口する溝が形成されている。
【００８９】
図７は、同コネクタの側壁部に組み込まれた状態のカード検出部の構成を示す図であり、カード検出部が組み込まれた側壁部を内側から見た図である。図８及び図９は図７におけるカード検出部の要部構成を示す拡大図である。
【００９０】
カード検出スイッチ３５０は、側壁部３１４側で、メモリカードの挿入方向Ａに沿って上下配置された長尺帯状の第１端子３６０、４６０及び第２端子３７０、４７０を有する。カード検出スイッチ３５０は、挿入されるメモリカードによって、第１端子３６０及び第２端子３７０、第１端子４６０及び第２端子４７０のそれぞれが離間することで当該メモリカードの挿入を検出する。
【００９１】
このカード検出スイッチ３５０は、側壁部３１４に沿って挿入方向に一列に並べて配置され、それぞれカード挿入を検出する第１検出スイッチ（以下「第１スイッチ」という）３５０Ａ及び第２検出スイッチ（以下、「第２スイッチ」という）３５０Ｂを備える。第１スイッチ３５０Ａは、図７及び図８に示すように、第１端子３６０及び第２端子３７０を用いて構成されている。また、第２スイッチ３５０Ｂは、図７及び図９に示すように、第１端子４６０及び第２端子４７０を用いて構成されている。
【００９２】
なお、第２スイッチ３５０Ｂの基本的構成は、第１スイッチ３５０Ａとほぼ同様である。このため、第１スイッチ３５０Ａの構成について詳細に説明を行い、第２スイッチ３５０Ｂの構成については、同名称を付けて説明は省略する。
【００９３】
第１スイッチ３５０Ａを構成する第１端子３６０及び第２端子３７０は、それぞれ可撓性を有し、弾性変形可能な細長の導電性部材からなる。ここでは第１端子３６０及び第２端子３７０は、金属板を加工することにより形成されている。
【００９４】
第１端子３６０は、側壁部３１４の内壁面に、延在方向に沿って切り欠かれることにより内部収容領域側に開口して形成された切欠部３１７内に、挿入口側から奥側に向かって延び出るように配設され、その先端は自由端となっている。
【００９５】
つまり、この第１端子３６０では、基端側が切欠部３１７を形成する前側の側壁部分３１４ａに固定され、先端部３６１は、切欠部３１７内で、挿入されるメモリカードの側面と横方向（ここでは水平方向）で対向し、挿入方向と直交する方向（コネクタの厚み方向）である上下方向に、揺動自在となっている。
【００９６】
図７及び図８に示すように、第１端子３６０の先端部３６１は、下面を下方に露出させており、この部分で下方に配置された第２端子３７０の接触片部３７２により上方に押圧され、当該第１端子３６０の上方に配置された規制アーム部３８０に当接している。
【００９７】
規制アーム部３８０は、側壁部３１４に、第１端子３６０に沿って、当該第１端子３６０と所定間隔を空けて対向して取り付けられている。
【００９８】
詳細には、規制アーム部３８０は、図７に示すように、コネクタ３００内において、側壁部３１４の切欠部３１７内で露出する第１端子部３６０の真上に、切欠部３１７を挿入方向で画成する壁部間３１４ａ、３１４ｂに架設された状態で配設されている。
【００９９】
ここでは、壁部１３４ａの壁面３１７ａコネクタ３００の底面と平行に配置され、第１端子３６０と対向する面（ここでは下面）には、当該第１端子３６０と接触する部位に、第１端子３６０側に突出する凸部３８２が形成されている。
【０１００】
この凸部３８２に、下方から押圧されて上方に移動した第１端子３６０が当接することによって、その移動を規制している。この凹部３８２は、ここでは下方に突出する半球状をなしており、第１端子３６０における先端部３６１の上面が当接して摺動しやすくなっている。また、規制アーム部３８０に凸部３８２を形成することにより、第１端子３６０の規制アーム部３８０に対する当接位置を決めやすくすることができる。
【０１０１】
なお、第２スイッチ３５０Ｂでは、第１端子４６０は第１端子３６０と、凸部４８２を有する規制アーム部４８０は凸部３８２を有する規制アーム部３８０と、それぞれ同様に構成され、同様の位置関係で配置されている。また、第１端子４６０に対する第２端子４７０の位置関係及び作用も、第１端子３６０に対する第２端子３７０と同様である。すなわち、第１端子４６０の先端部４６１は、下面側から第１端子４７０の接触片部４７１により規制アーム部４８０側に押圧され、凸部４８２に当接する。これら第１端子４６０、規制アーム部４８０及び第２端子４７０は、側壁部３１４において中央壁部３１４ｂと、後端側壁部分３１４ｃとの間に形成された切欠部３１７ａ内に配設されている。具体的には、第１端子４６０は、基端部側を中央壁部分３１４ｂ側で固定されて、先端部４６１を自由端としており、規制アーム部４８０は、第１端子４６０の上方で、壁部分３１４ｂ、３１４ｃ間に架設されている。また、第２端子４７０は、接触片部４７２を切欠部３１７ａ内で上下動するように取り付けられている。なお、この第２端子４７０は、第２端子３７０と略同様の構成であるため、その説明は、第２端子３７０の説明を行うことで省略する。
【０１０２】
このように構成された規制アーム部３８０、４８０は、ここでは、第１端子３６０にスイッチコンタクト４００として一体的に形成されており、このスイッチコンタクト４００を側壁部３１４に固定することで、上述した位置関係で配設されている。
【０１０３】
図１０はコネクタのカード検出スイッチ３５０におけるスイッチコンタクトを示す側面図である。なお、このスイッチコンタクトは、コネクタから外した状態、つまり、コネクタ３００のハウジングの側壁部３１４に沿って当該側壁部３１４に組み込まれる前の状態を示している。
【０１０４】
図１０に示すスイッチコンタクト４００は、長尺の導電性部材、ここでは金属板を加工することによって形成される。スイッチコンタクト４００は、規制アーム部３８０、４８０を含む長細長板状をなす本体アーム４１０と、この本体アーム４１０に、本体アーム４１０の延在方向と直交して延出して設けられ、側壁部３１４に圧入して固定される圧入部４２０とを有する。
【０１０５】
詳細には、圧入部４２０は、本体アーム４１０において、規制アーム部３８０となる部位の基端側の端部に形成された基端側圧入部４２２と、規制アーム部３８０、４８０の間の部位（ここでは本体アームの略中央部分）に形成された中央圧入部４２４と、規制アーム部４８０の先端側の端部に形成された先端側圧入部４２６とを有する。
【０１０６】
これら基端側圧入部４２２、中央圧入部４２４及び先端側圧入部４２６は、本体アーム４１０から、互いに平行に延出されるとともに、それぞれ本体アーム４１０の延在方向と同一方向の幅を有する板状をなしている。これら基端側圧入部４２２、中央圧入部４２４及び先端側圧入部４２６において、幅方向で離間して本体アーム４１０と直交する両側辺から圧入用のリブ４２８が張り出して設けられている。
【０１０７】
また、中央圧入部４２４は、基端側圧入部４２２及び先端側圧入部４２６よりも長く延出されている。この中央圧入部４２４の先端部４２４ａは、側壁部３１４の中央壁部分３１４ｂに形成された上下に連通する連通孔に圧入により固定され、コネクタ３００の底面から下方に突出する。また、中央圧入部４２４の先端部４２４ａは、カード検出用のリード部として機能し、コネクタ３００が実装される基板のカード検出用の配線に接続される。
【０１０８】
本体アーム４１０では、その一端側（基端側）から、基端側圧入部４２２に沿って延び出た連結部４３２を介して第１端子部３６０が、規制アーム部３８０と所定間隔を空けて対向するように配置されている。
【０１０９】
同様に、本体アーム４１０では、中央圧入部４２４より他端側（先端側）で、当該中央圧入部４２４と隣り合うように沿って延び出た連結部４３４を介して第１端子部４６０が、規制アーム部４８０と所定間隔を空けて対向するように配置されている。
【０１１０】
これら第１端子３６０、４６０は、第２端子部３７０、４７０により押圧されていない状態では、スイッチコンタクト４００として、規制アーム部４８０である本体アーム４１０と略平行に延びるように形成されている。
【０１１１】
このように形成されたスイッチコンタクト４００が、基端側圧入部４２２、中央圧入部４２４及び先端側圧入部２４６を側壁部３１４の壁部分３１４ａ、３１４ｂ、３１４ｂのそれぞれに圧入することによって、ハウジング３１０に固定されている。
【０１１２】
これにより、側壁部３１４では、規制アーム部３８０、４８０は、側壁部３１４に、先端部（コネクタ本体の後端部）側と、他端部（コネクタ本体の前端部）側とでそれぞれ所定の高さ位置で、切欠部３１７、３１７ａ内を渡るように、ここでは水平に固定される。
【０１１３】
また、第１端子３６０、４６０は、スイッチコンタクト４００が側壁部３１４に固定された状態、つまりハウジング３１０に組み込まれた状態では、ハウジング３１０に取り付けられた第２端子３７０、４７０によって、規制アーム部３８０、４８０のそれぞれに押圧された状態で配置される。
【０１１４】
図１１は、同コネクタのカード検出部における第１端子に対する第２端子の位置関係を示す平面図である。なお、図１１では、第１スイッチ３５０Ａにおける第１端子３６０と、第２端子３７０との位置関係を示し、メモリカード２００の挿入方向を挿入方向Ａとして便宜的に示している。なお、第２スイッチ３５０Ｂにおける第１端子４６０及び第２端子部４７０の位置関係は、第１スイッチ３５０Ａと同様であるため説明は省略する。
【０１１５】
図７に示すように、第２端子３７０は、側壁部３１４において、ハウジング３１０において内部底面側から上方に突出し、挿入されるメモリカード２００の側縁部下部に形成された溝に沿って摺動するレール部３１４ｄの延長線上に配置されている。
【０１１６】
また、第２端子３７０は、図１１に示すように、第１端子３６０の鉛直下方で当該第１端子３６０と重なる領域と、第１端子３６０よりもコネクタ３００内側のカード収容領域とに渡って配置されている。
【０１１７】
具体的に、第２端子３７０は、接触片部３７２と、切欠部３１７を画成する挿入口側の壁部分３１４ａの端面と面一のレール部３１４ｄの端面３１４ｅから挿入方向に沿って延び出た長尺の端子本体３７４とを有する。接触片部３７２は、端子本体３７４から分岐して端子本体３７４の延在方向に沿って設けられている。
【０１１８】
第２端子３７０では、端子本体３７４は、基端から、中央圧入部が圧入される側壁部３１４の中央部の側方に至るまでの長さを有し、その先端部を自由端としている。この第２端子３７０は、自身の弾性変形により、先端部が第１端子に対して接離方向、つまり、上下方向に変位するように揺動自在に配置されている。
【０１１９】
ここでは、端子本体３７４は、端面３１４ｅから延びる可動板部３７３と、可動板部３７３の先端から、第１端子３６０側、つまり上方に突出して形成され、コネクタ３００に挿入されるメモリカードの挿入領域内に配置される折曲部３７５とを有する。折曲部３７５は、可動板部３７３の先端から連続し、当該可動板部３７３が配置される面より上方に傾斜する傾斜面と、当該傾斜面の上端で下方に折曲してなる傾斜面とを有するように構成されている。
【０１２０】
なお、この折曲部３７５は、メモリカードの挿入領域内に配置されるため、挿入されるメモリカードの下面（溝部の底面）によって、第１端子３６０と離間する方向、つまり、下方に押圧される。これにより折曲部３７５は、端子本体３７４自体を第１端子３６０と離間する方向、ここでは下方に変形して移動させる。
【０１２１】
接触片部３７２は、端子本体３７４の可動板部３７３における第１端子３６０側（ここでは、第１端子３６０側である右側）の側辺部から、端子本体３７４の延在方向に沿って延びるとともに、第１端子３６０側（上方）に折れ曲がるように形成されている。
【０１２２】
接触片部３７２は、第１端子３６０の下面に、当該下面を上方に押圧した状態で当接されている。接触片部３７２は、図１１に示すように、先端部３７２ａを第１端子３６０と接触する接触部とし、この先端部３７２ａは、端子本体３７４に沿って延在する片部本体３７２ｂと交差する方向に折曲して、第１端子３６０の幅全体で接触するように形成されている。
【０１２３】
ここでは、端子本体３７４と、片部本体３７２ｂとは、横方向（コネクタ３００の左右方向）に、互いに離間して対向するように配置されている。つまり、片部本体３７２ｂは、端子本体３７４に、当該端子本体３７４の側辺部との間には空隙Ｇが形成されるように取り付けられている。
【０１２４】
図７及び図８に示すように、接触片部３７２（詳細には先端部３７２ａ）は、第１端子３６０と対向し、当該第１端子３６０の変形移動方向と同一方向で移動可能となっている。
【０１２５】
具体的には、接触片部３７２は、第１端子３６０の真下で、上下方向に移動自在に配置され、端子本体３７４の弾性変形によって第１端子３６０を規制アーム部３８０側に押圧した状態で下方に可動自在に配置されている。なお、第１端子３６０の復元力よりも、第１端子３６０に対する第２端子３７０の押圧力の方が大きい。
【０１２６】
このように配置された第２端子３６０は、インサート成形によって、コネクタ３００のハウジング３１０に、当該コネクタ３００の奥側に向かって上方に傾斜した状態で組み込まれている。
【０１２７】
ハウジング３１０を成型する金型への組み込み時において、第２端子３６０では、端子本体３７４は、レール端面３１４ｄから、延出する水平レベルに対して上方に傾斜して延びた状態で配置される。これにより、折曲部３７５及び接触片部３７２は、ハウジング３１０の底面が形成される面から離間する側（上方側）に変位した位置に位置される。特に、インサート成型時における接触片部３７２の配置位置は、スイッチコンタクト４００を組み込むことでなるカード検出スイッチにおいて図７に示す状態位置よりも上方の位置となる。
【０１２８】
インサート成形後、上記状態で第２端子３７０（４７０）が設けられたハウジング３１０に、スイッチコンタクト４００を圧入により取り付けることによって、接触片部３７２は、規制アーム部３８０により上方への移動が規制された第１端子３６０により下方に押圧されて変位し、第２端子３７０自体も下方に押圧されて変位した位置に配置される。
【０１２９】
このように構成されたカード検出スイッチ３５０は、コネクタ３００にメモリカードが挿入されていない常態時では、図７〜図９に示すような状態となる。すなわち、カード検出スイッチ３５０では、側壁部３１４において、第１端子３６０に第２端子３７０が当接するとともに、第１端子４６０に第２端子４７０が当接することによって、それぞれクローズ状態で保持される。
【０１３０】
言い換えれば、第１端子３６０、４６０を含むスイッチコンタクト４００と第２端子３７０、４７０とが組み込まれたコネクタ３００では、通常時において、第２端子３７０、４７０の接触片部３７２、４７２が、それぞれ対応する第１端子３６０、４６０の自由端側の部位を押圧している。これにより、第１端子３６０、４６０を含む第１スイッチ３５０Ａ及び第２端子３７０、４７０を含む第２スイッチ３５０Ｂは、それぞれのスイッチにおいて、端子同士が互いに電気的に接続された状態となっている。
【０１３１】
カード検出スイッチ３５０では、コネクタ３００にメモリカード２００がＡ方向に挿入されることによって、スイッチがＯＦＦとなり、カード挿入が検出される。
【０１３２】
ここで、コネクタ３００におけるカード検出スイッチ３５０の動作について説明する。
【０１３３】
図１２は本発明の実施の形態２に係るコネクタにおいて、メモリカード２００の挿入により、スイッチがＯＦＦになる直前のカード検出部における第１スイッチ３５０Ａの構成を示す要部断面図である。また、図１３は、図１２に示す状態の第１スイッチ３５０Ａの要部構成を示す拡大図である。なお、図１２は、コネクタ３００において、レール部３１４ｅの内側面部分に沿う側壁部３１４の側断面図である。図１４は、第１端子３６０から第２端子３７０が離間した要部構成を示す図である。
【０１３４】
まず、図７〜図９に示す状態のコネクタ３００に、メモリカード２００を挿入する。コネクタ３００に挿入口３０１（図７参照）からメモリカード２００がＡ方向に挿入されると、挿入されるメモリカード２００の側部２０３は、レール部３１４ｄ上を挿入方向に移動し、第２端子３７０において上面で露出する可動板部３７３上面を移動していく。
【０１３５】
これにより、第２端子３７０では、挿入されるメモリカード２００（ここではメモリカードの下面２０１で示す）の先端部２０１（詳細には先端面の角部分）によって、折曲部３７４において、可動板部３７３から上方に折り曲がって立ち上がる傾斜部分３７５ａが挿入方向に押圧される。
【０１３６】
すると、第２端子３７０では、折曲部３７５がメモリカードに挿入方向で押圧されることによって、下方に移動する。これに伴い、可動板部３７５が下方（第１端子３６０から離間する方向）に変位する。
【０１３７】
図１２及び図１３に示すように、可動板部３７５の下方への変位に伴い、接触片部３７２は、下方に移動する。この接触片部３７２の移動によって、上方の規制アーム部３８０側に押圧されていた第１端子３６０は、規制アーム部３８０の凸部３８２から離間する。
【０１３８】
コネクタ３００内にメモリカード２００が更に挿入されると、第２端子３７０では、折曲部３７５はさらに挿入方向に押圧されて下方に変位する。
【０１３９】
これにより、可動板部３７３も下方に移動して、接触片部３７２も更に下方（第１端子３０とは離間する方向）に移動する。
【０１４０】
ここで、接触片部３７２が第１端子３６０から離間する際、第１端子３６０が基端部側を中心に揺動するとともに、接触片部３７２も可動板部３７５の基端部側を中心とした揺動により下方に移動する。これにより接触片部３７２は、第１端子３６０に対して摺動しながら離間するように移動する。
【０１４１】
すると、図１４に示すように、接触片部３７２は、第１端子３６０から離間して、当該第１端子３６０への押圧状態を解除する。よって、カード検出スイッチ３５０では、第１端子３６０と第２端子３７０との接触状態、つまり、接続状態が解除される。
【０１４２】
このように、メモリカード２００がコネクタ３００に挿入されて、第１端子３６０に対して接触片部３７２が完全に離間している間は、第２端子３７０の第１端子３６０に対する接続状態は解除される。つまり、第１端子３６０と第２端子３７０とのスイッチはオープン状態となり、カード検出スイッチ３５０は、カード挿入状態を検出する。
【０１４３】
このように第１スイッチ３５０Ａをオープン状態にしたメモリカード２００が更にコネクタ３００内に挿入されると、側壁部３１４において第２スイッチ３５０Ｂが配置される部分へ移動する。
【０１４４】
さらにメモリカード２００が挿入されると、第２端子４７０も第２端子３７０と同様に、挿入されるメモリカード２００（図１２に示すメモリカード２００）の先端角部分２０１によって、折曲部４７５において、可動板部４７３から上方に折り曲がって立ち上がる傾斜部分４７５ａが挿入方向に押圧される。
【０１４５】
すると、第２端子４７０では、折曲部４７５がメモリカードに挿入方向で押圧されることによって、下方に移動し、可動板部４７３も下方（第１端子４６０から離間する方向）に変位する。
【０１４６】
図１５は、本発明の実施の形態２に係るコネクタにおいて、メモリカード２００の挿入により、第２スイッチがＯＦＦになる直前のカード検出部の要部構成を示す図である。図１５に示すように、可動板部４７３の下方への変位に伴い、接触片部４７２は、下方に移動する。この接触辺部４７２の移動によって、当該接触片部４７２により押圧されている第１端子４６０は、規制アーム部４８０の凸部４８２から離間する。
【０１４７】
メモリカードがコネクタ３００の奥側まで挿入されると、第２端子４７０では、折曲部４７５はさらに挿入方向に押圧されて下方に変位する。
【０１４８】
これにより、可動板部４７３も下方に移動して、接触片部４７２も第１端子４６０に対して摺動しながら更に下方（第１端子３０とは離間する方向）に移動する。この状態を図１６に示す。
【０１４９】
図１６に示すように、接触片部４７２は、第１端子４６０から離間して、当該第１端子４６０への押圧状態を解除する。これにより、カード検出スイッチ３５０では、第１端子４６０と第２端子４７０との接触状態、つまり、接続状態が解除される。
【０１５０】
このように、メモリカード２００がコネクタ３００に装着されることにより、第１端子４６０に対して接触片部４７２が完全に離間している間は、第２端子４７０の第１端子４６０に対する接続状態は解除される。つまり、第１端子４６０と第２端子４７０とのスイッチはオープン状態となり、カード検出スイッチ３５０を介してカード装着状態であることが検出される。
【０１５１】
カード検出スイッチ３５０では、第１端子３６０及び第２端子３７０を有する挿入口側の第１スイッチ３５０Ａは、カード挿入を検出するとともに、カードを書き込み禁止とするプロテクトスイッチのロック状態及び非ロック状態を検出する。
【０１５２】
すなわち、第２端子３７０では、折曲部３７５の頂点部分が、コネクタ３００に装着されたカードのプロテクトスイッチのロック位置に対応した位置に位置するとき、接触片部３７２は第１端子３６０を押圧した状態となるように構成されている。
【０１５３】
よって、第１スイッチ３５０Ａは、カード挿入時において、カード挿入を検出するとともに、カードの装着時に、プロテクトスイッチのロック状態、つまりカードのリードライト状態を検出することができる。
【０１５４】
図１７は、カード検出スイッチ３５０において、第１スイッチ３５０Ａ及び第２スイッチ３５０Ｂともオープン状態、つまり、コネクタ３００にメモリカードが装着された状態を示す図である。
【０１５５】
図１７に示すコネクタ３００の状態では、第１スイッチ３５０Ａにおいて、第２端子３７０が第１端子３６０に当接しておらず、両端子３６０、３７０の接続が遮断された状態（スイッチオープン状態）となっている。すなわち、メモリカードに設けられたスライド移動するプロテクトスイッチが、カードの書き込み禁止位置に位置されており、第２端子３７０の折曲部３７５が装着されたカード書き込み禁止位置まで復元できない状態となっている。これによりカード検出部３５０では、第１スイッチ３５０Ａのオフ、第２スイッチ３５０Ｂのオフにより、書き込み禁止のカードが挿入されたことを検出できる。なお、コネクタにメモリカードが装着された際に、折曲部３７５が復元し、書き込み禁止位置の切欠部内に配置されている場合、接触片部３７２は第１端子３６０を押圧して当該第１端子３６０と接続された状態となる。この状態では、カード検出部３５０は、読み書き自在はメモリカードが挿入されたことを検出する。
【０１５６】
また、第１端子４６０及び第２スイッチ４７０を有する第２スイッチ３５０Ｂは、コネクタ３００の奥側に配設されているため、装着されたカードを抜き去る場合、第１スイッチ３５０Ａよりも早く、カードの抜脱を検出することができる。
【０１５７】
また、カード検出スイッチ３５０の第１スイッチ３５０Ａ及び第２スイッチ３５０Ｂでは、それぞれ、第１端子３６０、４６０を押圧することで当該第１端子３６０、４６０に接続される第２端子３７０、４７０の接触片部３７２、４７２は、第１端子３６０、４６０に対して摺動しながら接離する。
【０１５８】
よって、これら第１端子３６０、４６０及び第２端子３７０、４７０の接触部分に異物が挟まる場合でも、互いが摺り合いながら接離することにより摺合う部分での異物を除去できる。すなわち、カード検出スイッチ３５０における第１端子及び第２端子間のコンタクトクリーニングを行うことができる。
【０１５９】
また、第２端子３７０、４７０において、接触片部３７２、４７２は、端子本体３７４、４７４の可動板部３７３、４７３から離間するように分岐し、当該端子本体３７４、４７４の延在方向に沿って形成されている。これにより、接触片部３７２、４７２と端子本体３７４、４７４との間に隙間Ｇ（図１１参照）が設けられている。なお、接触片部４７２と端子本体４７４との間の隙間は接触片部３７２と端子本体３７４との間の隙間Ｇと同様に設けられるため図示を省略する。このため、接触片部３７２と端子本体３７４との間、接触片部４７２と端子本体４７４との間のそれぞれに異物が溜まることがなく、コネクタ内の異物を効率よく排除して、第１端子及び第２端子同士の接触状態を良好な接触状態にすることができる。
【０１６０】
また、本実施の形態２のコネクタ３００では、第２端子３７０、４７０は、インサート成形によりハウジング３１０とともに形成され、第１端子３６０、４６０は、規制アーム部３８０、４８０とともにスイッチコンタクト４００として一体的に形成されている。
【０１６１】
そして、このスイッチコンタクト４００を、第２端子３７０、４７０を具備するハウジング３１０の側壁部３１４に、第１端子３６０、４６０が第２端子３７０、４７０に押圧されるように、圧入することによって取り付けてなる。
【０１６２】
よって、コンタクトクリーニング機能を有するコネクタ３００を容易に組み立てることができる。
【０１６３】
また、カード挿入検出部３５０は、コネクタ本体に固定された第１端子３６０、４６０に対して、第１端子３６０、４６０を押圧して接触して配置された第２端子３７０、４７０が、コネクタ本体に挿入されるメモリカードにより、メモリカードの厚み方向に弾性変形して、第１端子３６０、４６０から離間して、コネクタ本体へのメモリカードの挿入が検出される。これにより、第１端子３６０、４６０と第２端子３７０、４７０とが接触する際の可動領域を、コネクタ本体の幅方向に確保する必要が無く、その分、コネクタ本体の幅が小さくなっている。
【０１６４】
なお、上記本発明は、本発明の精神を逸脱しない限り、種々の改変をなすことができ、そして本発明が該改変させたものに及ぶことは当然である。
【産業上の利用可能性】
【０１６５】
本発明に係るメモリカードコネクタ及びメモリカードコネクタの製造方法は、挿入されるメモリカードの小型化に伴い小型化及び実装スペースの省スペース化を図ることができる効果を有し、小型化されたメモリカードが装着される小型電子機器に用いるものとして有用である。
【図面の簡単な説明】
【０１６６】
【図１】本発明の実施の形態１に係るメモリカードコネクタの構成を示す部分断面図
【図２】本発明の実施の形態１に係るメモリカードコネクタのカード検出部の構成を示す図
【図３】同メモリカードコネクタのカード検出部を説明するための要部側断面図
【図４】同メモリカードコネクタのカード検出部の構成を示す図
【図５】同メモリカードコネクタの製造方法の説明に供する図
【図６】本発明の実施の形態２に係るコネクタの構成を示す図
【図７】同コネクタの側壁部に組み込まれた状態のカード検出部の構成を示す図
【図８】図７におけるカード検出部の要部構成を示す拡大図
【図９】図７におけるカード検出部の要部構成を示す拡大図
【図１０】同コネクタのカード検出部におけるスイッチコンタクトを示す側面図
【図１１】同コネクタのカード検出部における第１端子に対する第２端子の位置関係を示す平面図
【図１２】本発明の実施の形態２に係るコネクタにおいて、メモリカードの挿入により、スイッチがＯＦＦになる直前のカード検出部における第１スイッチの構成を示す要部断面図
【図１３】図１２に示すカード検出部における第１スイッチの要部構成を示す拡大図
【図１４】第１端子から第２端子が離間した要部構成を示す図
【図１５】本発明の実施の形態２に係るコネクタにおいて、メモリカードの挿入により、第２スイッチがＯＦＦになる直前のカード検出部の要部構成を示す図
【図１６】本発明の実施の形態２に係るコネクタにおいて、メモリカードの挿入により、スイッチがＯＦＦになる直前の第２スイッチの状態を説明するための図
【図１７】カード検出スイッチにおいて、第１スイッチ及び第２スイッチのオープン状態を示す図
【図１８】従来のメモリカードコネクタにおけるメモリカード挿入を検出するカード検出スイッチの構成を示す図
【符号の説明】
【０１６７】
１００、３００  メモリカードコネクタ
１１０、３１０  ハウジング
１１２  底板部
１１４、３１４  側壁部
１５０、３５０  カード検出スイッチ（カード検出部）
１６０、３６０、４６０  第１端子
１７０、３７０、４７０  第２端子
１７４  折曲部
１７８  突出片
【図１】
0005098580.tif 000002
【図２】
0005098580.tif 000003
【図３】
0005098580.tif 000004
【図４】
0005098580.tif 000005
【図５】
0005098580.tif 000006
【図６】
0005098580.tif 000007
【図７】
0005098580.tif 000008
【図８】
0005098580.tif 000009
【図９】
0005098580.tif 000010
【図１０】
0005098580.tif 000011
【図１１】
0005098580.tif 000012
【図１２】
0005098580.tif 000013
【図１３】
0005098580.tif 000014
【図１４】
0005098580.tif 000015
【図１５】
0005098580.tif 000016
【図１６】
0005098580.tif 000017
【図１７】
0005098580.tif 000018
【図１８】
0005098580.tif 000019